【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内部に取り付けられるヨークと、
前記ヨークの内部に可動式に取り付けられ、前記ボビンの第１の端部から延在する第１および第２のアームを有し、ワイヤコイルが周りに巻かれるボビンと、
中心部分を有する可撓性の回路アセンブリであって、前記中心部分は、前記ヨークと前記中心部分から延在する第１および第２の延長部とに取り付けられ、また、前記ヨークと前記第1および第2の延長部は、前記ボビンの前記第１および第２のアームにそれぞれ取り付けられ、
第１および第２の電気接点が前記中心部分上に形成され、前記第１および第２の電気接点が前記ワイヤコイルの第１および第２の端部にそれぞれ取り付けられる、可撓性の回路アセンブリと、
前記ヨークに取り付けられる磁石と、
を備えることを特徴とする気体調節弁のための線形アクチュエータ。
【請求項２】
前記ワイヤコイルの前記第１および第２の端部が、前記ボビンの前記第１および第２のアームの上方にそれぞれ延在し、前記可撓性の回路アセンブリ内の第１および第２の導電路にそれぞれ電気的に結合され、前記第１および第２の導電路が、前記可撓性の回路アセンブリの前記第１および第２の電気接点にそれぞれ結合されることを特徴とする請求項１に記載の線形アクチュエータ。
【請求項３】
前記ハウジング、ヨーク、ボビン、および磁石が円筒形状を有することを特徴とする請求項１または２に記載の線形アクチュエータ。
【請求項４】
前記可撓性の回路アセンブリが、全体的に馬蹄形であり、前記第１および第２の延長部が弧形状のアームを形成することを特徴とする請求項３に記載の線形アクチュエータ。
【請求項５】
前記円筒状の磁石の中心部分が開き、前記ヨークの中心部分が開き、前記ハウジングの中心部分が開き、前記可撓性の回路アセンブリの前記第１および第２の弧形状のアームが、前記円筒状の磁石、ヨーク、およびハウジング内の前記開口部の周りに延在することを特徴とする請求項４に記載の線形アクチュエータ。
【請求項６】
前記線形アクチュエータの前記中心を通る通路を形成するように、前記ハウジング、前記ヨーク、前記ボビン、および前記磁石の中心部分が開いていることを特徴とする請求項１に記載の線形アクチュエータ。
【請求項７】
請求項２〜６のいずれか一項に記載の線形アクチュエータを備える気体調節弁。
【請求項８】
気体送達管に取り付けるように構成される第１のハウジング部分と、
患者インタフェースに取り付けられるように構成される第２のハウジング部分と、る、第2ハウジング部分と、
前記第１および第２のハウジング部分を通り、かつ前記薄膜アセンブリを通る気体が、前記線形アクチュエータから隔離されるように、前記第１のハウジング部分と第２のハウジング部分との間に結合された薄膜アセンブリと、
をさらに備え、
前記第１および第２のハウジング部分のうちの一方が、少なくとも部分的に前記線形アクチュエータの中心の前記通路を通って延在することを特徴とする請求項７に記載の気体調節弁。
【請求項９】
前記第１および第２のハウジング部分のうちのもう一方が、前記線形アクチュエータの前記円筒状のハウジングの外部に取り付けられ、かつ、少なくとも部分的に前記ハウジングの外部を取り囲むことを特徴とする請求項８に記載の気体調節弁。
【請求項１０】
少なくとも１つの開口部が、前記第１および第２のハウジング部分のうちの一方の内部に形成され、前記薄膜アセンブリの一部が、前記少なくとも１つの開口部を閉じる閉位置と前記少なくとも１つの開口部を開く開位置との間で動かすことができる閉塞部材を備えることを特徴とする請求項８または９に記載の気体調節弁。
【請求項１１】
前記線形アクチュエータが前記閉塞部材を前記開位置から前記閉位置へと動かすことができるように、前記薄膜アセンブリが前記線形アクチュエータの前記ボビンに結合されることを特徴とする請求項１０に記載の気体調節弁。
【請求項１２】
前記少なくとも１つの開口部が、前記第１のハウジング部分上に形成され、前記第１のハウジング部分が、円筒状の封止面を備え、前記線形アクチュエータが、前記第１のハウジング部分上の前記少なくとも１つの開口部を閉じるために、前記閉塞部材上の封止面を前記第１のハウジング部分上の前記封止面に係合させることを特徴とする請求項１１に記載の気体調節弁。
【請求項１３】
前記薄膜アセンブリが、
前記第１のハウジング部分と前記第２のハウジング部分との間に結合される、可撓性円筒状の薄膜と、
前記可撓性円筒状の薄膜の中心部分に結合される実質的に剛性の作動リングと、
を備え、
前記線形アクチュエータの前記ボビンの下方端部が、前記閉塞部材を前記開位置から前記閉位置へと動かすために前記作動リングを押すことを特徴とする請求項１１または１２に記載の気体調節弁。
【請求項１４】
前記薄膜アセンブリに結合される流量制限器をさらに備え、前記流量制限器が、少なくとも部分的に前記線形アクチュエータの前記中央通路を通って延在し、前記流量制限器が、前記第１および第２のハウジング部分のうちの一方に結合されることを特徴とする請求項８〜１３のいずれか一項に記載の気体調節弁。
【請求項１５】
少なくとも１つのセンサ開口部が、前記第２のハウジング部分内に形成され、前記センサ開口部が、前記第２のハウジング部分の内部をセンサ管に結合させるように構成されることを特徴とする請求項８〜１４のいずれか一項に記載の気体調節弁。
【請求項１６】
請求項８〜１５のいずれか一項に記載の気体調節弁を備える、呼吸補助装置。
【請求項１７】
請求項１に記載の線形アクチュエータを備える、可変通気呼吸マスク。
【請求項１８】
線形アクチュエータを製造する方法であって、
ボビン上に巻かれたワイヤコイルを有する中空ボビンを、中空ヨークの内側に挿入するステップと、
可撓性の回路アセンブリの中心部分を前記ヨークに取り付けるステップであって、前記可撓性の回路アセンブリが、前記中心部分から突出する第１および第２の延長部を有するステップと、
前記ワイヤコイルの第１および第２の端部を、前記可撓性の回路アセンブリの前記第１および第２の延長部に結合するステップと、
中空の磁石を前記ボビンの内側に挿入するステップと、
前記磁石を前記ヨークに取り付けるステップと、
を含むことを特徴とする方法。
【請求項１９】
前記中空ボビンが、前記ボビンの第１の端部から延在する第１および第２のアームを有し、前記方法が、前記可撓性の回路アセンブリの前記第１および第２の延長部の端部を、それぞれ前記ボビンの前記第１および第２のアームの端部に取り付けるステップをさらに含むことを特徴とする請求項１８に記載の方法。
【請求項２０】
前記可撓性の回路アセンブリの前記第１および第２の延長部の前記端部が、熱かしめによって前記ボビンの前記第１および第２のアームの前記端部に取り付けられることを特徴とする請求項１９に記載の方法。
【請求項２１】
前記可撓性の回路アセンブリの前記第１および第２の延長部の前記端部がそれぞれ、そこを通る開口部を有し、前記ボビンの前記第１および第２のアームそれぞれの端部に突起が形成され、前記可撓性の回路アセンブリの前記第１および第２の弧形状の延長部を前記ボビンの前記第１および第２のアーム端部に取り付けるステップが、前記ボビンの前記アーム上の前記突起を前記弧形状の延長部の前記端部内の前記開口部内に挿入するステップを含むことを特徴とする請求項２０に記載の方法。
【請求項２２】
前記ヨーク、ボビン、および磁石をハウジング内に挿入するステップと、前記ヨークを前記ハウジングに結合するステップと、をさらに含む、請求項１８〜２１のいずれか一項に記載の方法。
【請求項２３】
前記ハウジングが、ワイヤアセンブリに結合される第１および第２の電気接点を備え、導電路が、前記可撓性の回路アセンブリ内に形成され、前記導電路が、前記ワイヤコイルの前記第１および第２の端部を前記可撓性の回路アセンブリの前記中心部分上に配置される第１および第２の接点に電気的に結合し、前記ヨーク、ボビン、および磁石を前記ハウジング内に挿入する前記ステップによって、前記可撓性の回路アセンブリ上の前記第１および第２の接点が前記ハウジング上の前記第１および第２の電気接点に結合されることを特徴とする請求項２２に記載の方法。
【請求項２４】
前記磁石の端部および前記磁極片の端部を互いに当接させるように、中空の磁極片を前記ボビンの内側に取り付けるステップをさらに含むことを特徴とする請求項１８〜２３のいずれか一項に記載の方法。